(57)【要約】【課題】直方体の底面の開口部の一方側を常に閉塞し、他方側を開口および閉塞できるようにしたシールドケース２０を提供する。【解決手段】直方体の底面の略全体に開口部を設けた略箱状の導電材からなるシャーシ１０と、直方体の長手方向の一方側でシャーシ１０を抱持するように組み付けられて開口部の一方側を閉塞する導電材からなる第１のシールドカバー１２と、シャーシ１０を抱持するように組み付けられて直方体の長手方向に摺動可能で第１の摺動位置で開口部の直方体の長手方向の他方側を閉塞し第２の摺動位置で開口部の他方側を開口する導電材からなる第２のシールドカバー１４とでシールドケース２０を構成する。シャーシ１０の内側の一方側に回路基板などを収容し、シャーシ１０の他方側の開口部と対向する面に貫通させた取付ネジにシャーシ１０を固定する。【選択図】  図１
2004228357.tif 000002
【特許請求の範囲】
【請求項１】
直方体の一面の略全体に開口部を設けた略箱状の導電材からなるシャーシと、前記直方体の長手方向の一方側で前記シャーシを抱持するように組み付けられて前記開口部の前記一方側を閉塞する導電材からなる第１のシールドカバーと、前記シャーシを抱持するように組み付けられて前記直方体の長手方向に摺動可能で第１の摺動位置で前記開口部の前記直方体の長手方向の他方側を閉塞し第２の摺動位置で前記開口部の前記他方側を開口する導電材からなる第２のシールドカバーと、を備えて構成したことを特徴とするシールドケース。
【請求項２】
直方体の一面の略全体に開口部を設けた略箱状の導電材からなるシャーシと、前記シャーシを抱持するように組み付けられて前記直方体の長手方向に摺動可能で第１の摺動位置で前記開口部の全面を閉塞し第２の摺動位置で前記開口部の前記直方体の長手方向で一方側を閉塞し他方側を開口する導電材からなるシールドカバーと、を備えて構成したことを特徴とするシールドケース。
【請求項３】
直方体の一面の前記直方体の長手方向の一方側に第１の開口部を設けるとともに、前記一面と対向する面の前記直方体の長手方向の少なくとも他方側に第２の開口部を設けた略箱状の導電材からなるシャーシと、前記一方側で前記シャーシを抱持するように組み付けられて前記第１の開口部を閉塞する導電材からなる第１のシールドカバーと、前記シャーシを抱持するように組み付けられて前記直方体の長手方向に摺動可能で第１の摺動位置で前記第２の開口部全面を閉塞し第２の摺動位置で前記第２の開口部の少なくとも前記他方側を開口する導電材からなる第２のシールドカバーと、を備えて構成したことを特徴とするシールドケース。
【請求項４】
直方体の一面の前記直方体の長手方向の一方側に第１の開口部を設けるとともに、前記一面と対向する面の前記直方体の長手方向の少なくとも他方側に第２の開口部を設けた略箱状の導電材からなるシャーシと、前記シャーシを抱持するように組み付けられて前記直方体の長手方向に摺動可能で第１の摺動位置で前記第１の開口部および前記第２の開口部の全面をともに閉塞し第２の摺動位置で前記第２の開口部の少なくとも前記他方側を開口する導電材からなるシールドカバーと、を備えて構成したことを特徴とするシールドケース。
【請求項５】
請求項１ないし４記載のいずれかのシールドケースにおいて、前記シャーシの内側の前記一方側に回路基板を収容し、前記シャーシの前記他方側で前記開口部または前記第２の開口部と対向する面に取付ネジを貫通させ、前記取付ネジに前記シャーシの内側から締付ナットを螺合固定することで、前記シャーシを前記取付ネジに固定するように構成したことを特徴とするシールドケース。
【請求項６】
請求項５記載のシールドケースにおいて、前記取付ネジを導電材で形成して信号経路とし、前記取付ネジと前記シャーシを絶縁保持部材で電気的に絶縁し、前記シャーシの内側で前記取付ネジを前記回路基板に導電接続部材を介して電気的に接続して構成したことを特徴とするシールドケース。
【請求項７】
請求項１ないし４記載のいずれかのシールドケースにおいて、前記シャーシの内側に前記一方側と前記他方側を仕切る仕切壁を設けて構成したことを特徴とするシールドケース。
【発明の詳細な説明】
【０００１】
【発明の属する技術分野】
本発明は、直方体のシールドケースの一方側を常に閉塞し、他方側を開口および閉塞できるようにしたシールドケースに関するものである。
【０００２】
【従来の技術】
従来のシールドケースにあっては、直方体のシャーシの一面の略全体に開口部を設け、この開口部を閉塞するシールドカバーを、開口部に対して開口方向に着脱させる構造である。そして、シールドカバーには、シャーシの開口部の外周縁に弾力的に係合する係合爪が設けられており、この係合爪の弾力によりシャーシにシールドカバーが保持される。なお、従来は、シールドカバーの着脱により、開口部の全体が開口されまたは閉塞される。
【０００３】
【発明が解決しようとする課題】
ところで、車載用アンテナ装置にあっては、車のルーフなどに穿設した取付孔にアンテナベースから下方に突出させた取付ネジを挿通し、車の内側に突出した取付ネジに爪付きワッシャを介して締付ナットを螺合することで、アンテナベースが車に固定される構造が採用されている。そして、従来は車の外側に配設されるアンテナベースを含む部材内にアンテナ信号の増幅回路などが収容され、適宜に増幅されたアンテナ信号がケーブルなどによって車内に導入されていた。
【０００４】
この増幅回路などを収容するために、従来の車の外側に配設される部材の小型化が困難であった。そこで、発明者は車の外側に配設される部材内には増幅回路を収容せず、車の内側に配設したシールドケース内に増幅回路などを収容し、この増幅回路などでアンテナ信号を増幅すれば、車の外側に配設される部材の小型化が容易であると考えた。しかも、アンテナ信号をアンテナ基端に近い位置で増幅するために、アンテナベースを車のルーフに固定すべく車内に突出する取付ネジにシールドケースを固定すれば良いことに想到した。そして、シールドケースの内側の一方側に増幅回路などの回路基板を収容し、他方側に取付ネジを挿通してシールドケース内で締付ナットを螺合し、取付ネジにシールドケースを固定することとした。
【０００５】
しかるに、従来の構造のシールドケースでは、シールドカバーを外して締付ナットを締め付ける作業中は、開口部の全体が開口されているので、収容された回路基板などが剥き出しの状態にあり、誤って作業工具などで破損させる虞があった。
【０００６】
本発明は、上述のごとき従来技術の不具合を改善すべくなされたもので、締め付けなどの作業中にあっても、回路基板などが収容された部分は開口されず、締め付けなどの作業に必要な部分のみを開口できるようにしたシールドケースを提供することを目的とする。
【０００７】
【課題を解決するための手段】
かかる目的を達成するために、本発明のシールドケースは、直方体の一面の略全体に開口部を設けた略箱状の導電材からなるシャーシと、前記直方体の長手方向の一方側で前記シャーシを抱持するように組み付けられて前記開口部の前記一方側を閉塞する導電材からなる第１のシールドカバーと、前記シャーシを抱持するように組み付けられて前記直方体の長手方向に摺動可能で第１の摺動位置で前記開口部の前記直方体の長手方向の他方側を閉塞し第２の摺動位置で前記開口部の前記他方側を開口する導電材からなる第２のシールドカバーと、を備えて構成されている。
【０００８】
そして、前記シャーシの内側の前記一方側に回路基板を収容し、前記シャーシの前記他方側で前記開口部または前記第２の開口部と対向する面に取付ネジを貫通させ、前記取付ネジに前記シャーシの内側から締付ナットを螺合固定することで、前記シャーシを前記取付ネジに固定するように構成しても良い。
【０００９】
また、前記取付ネジを導電材で形成して信号経路とし、前記取付ネジと前記シャーシを絶縁保持部材で電気的に絶縁し、前記シャーシの内側で前記取付ネジを前記回路基板に導電接続部材を介して電気的に接続して構成することもできる。
【００１０】
さらに、前記シャーシの内側に前記一方側と前記他方側を仕切る仕切壁を設けて構成することも可能である。
【００１１】
【発明の実施の形態】
以下、本発明の第１実施例を図１ないし図６を参照して説明する。図１は、本発明のシールドケースの第１実施例の閉塞状態と開口状態を示す外観図であり、（ａ）は閉塞状態の正面図、（ｂ）の閉塞状態の底面図、（ｃ）は開口状態の正面図、（ｄ）は開口状態の底面図である。図２は、取付ネジに固定した本発明のシールドケースの第１実施例の縦断面拡大図である。図３は、図１のシールドケースを構成するシャーシの外観図であり、（ａ）は正面図、（ｂ）は右側面図、（ｃ）は底面図、（ｄ）は（ｂ）のＡ−Ａ矢視断面図である。図４は、図１のシールドケースを構成する第１のシールドカバーの外観図であり、（ａ）は平面図、（ｂ）は正面図、（ｃ）は右側面図である。図５は、図１のシールドケースを構成する第２のシールドカバーの外観図であり、（ａ）は平面図、（ｂ）は正面図、（ｃ）は右側面図である。図６は、シャーシに第１のシールドカバーを組み付けた外観図であり、（ａ）は平面図、（ｂ）は正面図、（ｃ）は底面図である。
【００１２】
まず、シャーシ１０は、図３に示されるごとく、導電材の板金で形成され、直方体の底面の全体が開口された略箱状とされる。そして、シャーシ１０の直方体の長手方向の一方側の内側に回路基板などを収容固定するために、基板固定突部１０ａ，１０ａ…が横側壁１０ｂ，１０ｂなどに適宜に設けられるとともに、天板１０ｃの一方側にケーブル保持突部１０ｄ，１０ｄが設けられる。また、シャーシ１０の直方体の長手方向の他方側の天板１０ｃに取付ネジ挿入孔１０ｅおよび絶縁保持部材取付穴１０ｆ，１０ｆ…が適宜に設けられる。さらに、シャーシ１０の横側壁１０ｂ，１０ｂに係合孔１０ｇ，１０ｇ…が適宜に設けられる。さらにまた、シャーシ１０の内部が長手方向で一方側と他方側が、横側壁１０ｂ，１０ｂから切り起こして設けられた仕切壁１０ｉ，１０ｉで仕切られている。
【００１３】
そして、第１のシールドカバー１２は、図４に示されるごとく、やはり導電材の板金で形成され、シャーシ１０の直方体の一方側を抱持するように組み付けられる形状で、図４で直方体の左側壁および天板の左側部分が設けられていない略箱状である。そして、シャーシ１０に組み付けられると、底面１２ａはシャーシ１０の底面の開口部の一方側（図で右側）を覆うように形成され、部分的な天板１２ｂ，１２ｂは、シャーシ１０の天板１０ｃにケーブル保持突部１０ｄ，１０ｄを切り起こすために穿設された切り欠きを閉塞するように形成される。また、右側壁１２ｃはケーブル導出入部１２ｄを除いて閉じられ、しかもこの右側壁１２ｃを形成する板金の横方向端部が横側壁１２ｅ，１２ｅに沿って折り曲げられてストッパ１２ｆ，１２ｆが形成される。さらに、横側壁１２ｅ，１２ｅには、シャーシ１０の係合孔１０ｇ，１０ｇ…と係合するべく、内側に凸で外側が凹なる係合突部１２ｇ，１２ｇ…が形成される。
【００１４】
さらに、第２のシールドカバー１４は、図５に示されるごとく、導電材の板金で形成され、シャーシ１０の直方体とほぼ同様の寸法で、後述するごとくシャーシ１０およびこれに組み付けられた第１のシールドカバー１２に対して抱持するように、しかも直方体の長手方向に摺動自在とされる。そして、組み付けられた状態で、ジャーシ１０に対して他方側（図で左側）の第１の摺動位置で底面１４ａがシャーシ１０の底面の開口部の他方側を覆うように形成され、この底面１４ａの一方側端部には、第１のシールドカバー１２の右側壁１２ｃに当接する位置規制用の折り曲げ部１４ｂが設けられる。また、底面１４ａの他方側に連接して横側壁１４ｃ，１４ｃが設けられるとともに、さらにシャーシ１０の天板１０ｃを抱くように抱持用の折り曲げ部１４ｄ，１４ｄが設けられる。なお、横側壁１４ｃ，１４ｃには、シャーシ１０の係合孔１０ｇ，１０ｇ…および第１のシールドカバー１２の係合突部１２ｇ、１２ｇ…に係合し得る内側に凸なる係合突部１４ｅ，１４ｅ…が設けられる。
【００１５】
本発明の第１実施例のシールドケース２０は、前述の構造からなるシャーシ１０と第１と第２のシールドカバー１２，１４からなり、以下その組み付けにつき説明する。まず、図６に示されるごとく、シャーシ１０の一方側を抱持するようにして第１のシールドカバー１２が組み付けられる。すると、シャーシ１０の底面の開口部の一方側が第１のシールドカバー１２の底面１２ａにより閉塞されるとともに、シャーシ１０の天板１０ｃの切り欠きが第１のシールドカバー１２の天板１２ｂ，１２ｂにより閉塞される。また、シャーシ１０の一方側端面が第１のシールドカバー１２の右側壁１２ｃにより、ケーブル導出入部１２ｄを除いて閉塞される。かかる組み付け状態で、シャーシ１０の横側壁１０ｂ，１０ｂの係合孔１０ｇ，１０ｇ…に第１のシールドカバー１２の係合突部１２ｇ，１２ｇ…が適宜に係合することで、組み付け状態が弾力的に保持されている。
【００１６】
さらに、図１に示されるごとく、シャーシ１０に第１のシールドカバー１２が組み付けられたものを、第２のシールドカバー１４が抱持するようにして組み付けられる。すると、図１（ａ），（ｂ）に示されるごとく、シャーシ１０に対して第２のシールドカバー１４が他方側（図で左側）に偏寄された第１の摺動位置において、シャーシ１０の底面の開口部の他方側が第２のシールドカバー１４の底面１４ａにより閉塞され、シールドケース２０が閉塞された状態となる。なお、第２のシールドカバー１４の他方側への移動の規制は、第２のシールドカバー１４の折り曲げ部１４ｂを第１のシールドカバー１２の右側壁１２ｃに当接させ、またシャーシ１０の左側壁１０ｈの底面側端部に第２のシールドカバー１４の底面１４ａの左端を当接させて位置決めがなされる。そして、第２のシールドカバー１４の係合突部１４ｅ，１４ｅが、シャーシ１０の係合孔１０ｇ，１０ｇ…または／および第１のシールドカバー１２の係合突部１２ｇ，１２ｇ…の外側の凹状に係合することで、第１の摺動位置が弾力的に保持される。また、図１（ｃ）、（ｄ）に示されるごとく、シャーシ１０に対して、第１のシールドカバー１４が一方側（図で右側）に摺動されて偏寄された第２の摺動位置において、シャーシ１０の底面の開口部の他方側が開口された状態となる。なお、第２のシールドカバー１４の一方側への移動の規制は、第１のシールドカバー１２のストッパ１２ｆ，１２ｆに、第２のシールドカバー１４の横側壁１４ｃ，１４ｃの一方側の端縁が当接して位置決めがなされる。そして、第２のシールドカバー１４の係合突部１４ｅ，１４ｅ…が、シャーシ１０の係合孔１０ｇ，１０ｇ…または／および第１のシールドカバー１２の係合突部１２ｇ，１２ｇ…に係合することで、第２の摺動位置が弾力的に保持される。
【００１７】
かかる構成からなる本発明の第１実施例のシールドケース２０を、取付ネジ２４に固定する構造を、図２を参照して以下説明する。図２において、アンテナエレメント２６の基端が揺動自在に配設されるアンテナベース２８の底面より下方に突出された取付ネジ２４が、車のルーフ３０などに穿設された取付孔に挿入される。そして、車の内側に突出した取付ネジ２４に、爪付きワッシャ３２が嵌挿され、次にシャーシ１０の天板１０ｃに穿設された取付ネジ挿入孔１０ｅによりシールドケース２０が嵌挿され、さらに絶縁保持部材３４が嵌挿され、さ最後に締付ナット３６が螺合固定されて、アンテナベース２８がルーフ３０に固定されると同時に、取付ネジ２４にシールドケース２０が固定される。
【００１８】
ところで、爪付きワッシャ３２は、シャーシ１０に適宜に一体的に固定されている。また、シャーシ１０の絶縁保持部材取付穴１０ｆ，１０ｆを利用して、絶縁保持部材３４が熱カシメによりシャーシ１０に一体的に固定されている。そして、絶縁保持部材３４には、締付ナット３６を締め付けると当接されて電気的に接続される導電接続板３８が設けられ、その導電接続端子３８ａがシールドケース２０の一方側に予め収容固定された回路基板４０に電気的に接続されている。しかも、この回路基板４０に電気的に接続されたケーブル４２が、シャーシ１０のケーブル保持突起１０ｄ，１０ｄで適宜に固定されて、第１のシールドカバー１２のケーブル導出入部１２ｄからシールドケース２０の外部に導出される。なお、取付ネジ２４は、導電材からなり、アンテナエレメント２６の基端が適宜に電気的に接続されていて、アンテナ信号の信号経路としても作用するように構成されている。
【００１９】
そこで、まず爪付きワッシャ３２と絶縁保持部材３４が固定されたシャーシ１０に回路基板４０およびこれと電気的に接続されたケーブル４２を配設固定し、導電接続端子３８ａを回路基板４０に電気的に接続させる。次に、かかる状態のシャーシ１０に、第１のシールドカバー１２を組み付け、シャーシ１０の底面の開口部の回路基板４０が配設された一方側が閉塞される。さらに、第２のシールドカバー１４が組み付けられ、第２の摺動位置とし、シャーシ１０の底面の開口部の他方側を開口状態のままとする。そして、この状態のシャーシ１０を取付ネジ２４に嵌挿し、締付ナット２４を螺合固定する。この締付ナット３６の締め付け作業において、回路基板４０は、第１のシールドカバー１２の底面１２ａに覆われており、また仕切壁１０ｉ，１０ｉで覆われており、作業工具などで誤って回路基板４０を破損させるようなことがない。締付ナット３６の締め付け作業が完了すれば、第２のシールドカバー１４を第１の摺動位置に摺動し、シャーシ１０の底面の開口部を全て閉塞させて、シールドケース２０の固定作業が終了となる。上記第１実施例では、信号経路としての取付ネジ２４をも、シールドケース２０でシールドすることができる。ここで、シールドケース２０は、シャーシ１０が爪付きワッシャ３２を介してルーフ３０に電気的に接続されて接地される。そして、取付ネジ２４は、絶縁保持部材３６によりシールドケース２０から絶縁されていることは勿論である。
【００２０】
次に、本発明の第２実施例を図７および図８を参照して説明する。図７は、本発明のシールドケースの第２実施例の閉塞状態と開口状態を示す外観図であり、（ａ）は閉塞状態の正面図、（ｂ）は閉塞状態の底面図、（ｃ）は開口状態の正面図、（ｄ）は開口状態の底面図である。図８は、図７のシールドケースを構成するシールドカバーの外観図であり、（ａ）は平面図、（ｂ）は正面図、（ｃ）は右側面図、（ｄ）は底面図である。
【００２１】
第２実施例において、シャーシ１０は、第１実施例と同様の構成である。そして、シールドカバー５０は、導電材からなる板金で形成され、第１実施例の第１と第２のシールドカバ１２，１４を一体としたごとき構成である。すなわち、シールドカバー５０は、図８に示されるごとく、シャーシ１０全体を収容するごとくして抱持する形状であって、直方体の左側壁が省かれるとともに天板の大部分が切り欠かれたごとき略箱状のものである。そこで、図７（ｃ），（ｄ）のごとく、シャーシ１０の一方側にシールドカバー５０が組み付けられた第２の摺動位置とすると、シールドカバー５０の底面５０ａによってシャーシ１０の底面の開口部の一方側が閉塞され他方側が開口される。この第２の摺動位置で、シャーシ１０の係合孔１０ｇ，１０ｇ…に、シールドカバー５０の横側壁５０ｂ，５０ｂの係合突部５０ｃ，５０ｃ…が適宜に係合することで、弾力的に保持される。そして、図７（ａ），（ｂ）のごとく、シャーシ１０に対してシールドカバー５０を摺動して第１の摺動位置とすると、シールドカバー５０の底面５０ａによって、シャーシ１０の底面の開口部全体が閉塞される。そして、シャーシ１０の天板１０ｃの切り欠きも、シールドカバー５０の天板５０ｄ，５０ｄにより閉塞される。この第１の摺動位置への摺動の規制は、シャーシ１０の左側壁１０ｈに、シールドカバー５０の底面５０ａの左端縁が当接し、またシャーシ１０の右側面にシールドカバー５０の右側壁５０ｅが当接して位置決めがなされる。そして、シャーシ１０の係合孔１０ｇ、１０ｇ…にシールドカバー５０の係合突部５０ｃ，５０ｃ…が係合して、第１の摺動位置が弾力的に保持される。なお、シールドカバー５０の右側壁５０ｅには、ケーブル導出入部５０ｆが適宜に設けられている。
【００２２】
かかる構成の本発明の第２実施例のシールドケースでは、第１実施例と同様の効果が得られるとともに、部品点数が１つ少なく、それだけ組み付け作業が容易であるとともに安価に製造し得る。
【００２３】
さらに、本発明の第３実施例を図９ないし図１１を参照して説明する。図９は、本発明のシールドケースの第３実施例を構成するシャーシの外観図であり、（ａ）は平面図、（ｂ）は正面図、（ｃ）は右側面図、（ｄ）は底面図である。図１０は、図９のシャーシに組み付ける第１のシールドカバーの外観斜視図である。図１１は、図９のシャーシに組み付ける第２のシールドカバーの外観斜視図である。
【００２４】
図９に示すシャーシ６０が、第１実施例に示すシャーシ１０と相違する構造は、以下の点にある。まず、シャーシ６０の天板６０ａの一方側（図で右側）に、天板６０ａ側から回路基板４０などを挿入して収容するための開口部６０ｂが設けられる、ことにある。そこで、横側壁６０ｃ，６０ｃなどに設けられた基板固定突部６０ｄ，６０ｄ…は、当然に天板６０ａ側から回路基板４０が挿入されるのに対応して構成される。また、天板６０ａに開口部６０ｂが設けられたために、右側壁６０ｅにケーブル保持突部６０ｆ，６０ｆが適宜に形成されている。なお、底面の全体が開口部とされ、横側壁６０ｃ，６０ｃに係合孔６０ｇ，６０ｇ…が穿設されるなどは、第１実施例と同様である。
【００２５】
そして、このシャーシ６０の一方側に抱持するようにして組み付けられる第１のシールドカバー６２は、図１０に示されるごとく、導電材からなる板金で形成され、シャーシ６０の一方側を収容するごとき、直方体の左側壁が省かれた箱状である。そこで、この第１シールドカバー６２をシャーシ６０の一方側に組み付けることで、シャーシ６０のの天板６０ａの開口部６０ｂが第１のシールドカバー６２の天板６２ａで閉塞され、シャーシ６０の底面の開口部の一方側が第１のシールドカバー６２の底面６２ｂで閉塞される。そして、第１のシールドカバー６２の横側壁６２ｃ，６２ｃに設けた係合突部６２ｂ，６２ｂ…が、シャーシ６０の係合孔６０ｇ，６０ｇ…に適宜に係合して弾力的に保持される。なお、第１のシールドカバー６２の右側壁には、ケーブル導出部６２ｅが適宜に設けられている。
【００２６】
さらに、シャーシ６０に長手方向に摺動自在に組み付けられる第２のシールドカバー６４は、図１１に示されるごとく、導電材からなる板金で形成され、第１実施例の第２のシールドカバー１４とほぼ同様の形状である。そして、シャーシ６０に対して他方側（図で左側）の第１の摺動位置でシャーシ６０の底面の開口部の他方側が、第２のシールドカバー６４の底面６４ａにより閉塞される。このようにして、シャーシ６０に第１と第２のシールドカバー６２，６４を組み付けることで、第３実施例のシールドケースが構成される。
【００２７】
本発明の第３実施例では、シールドケースとして、第１実施例と同様の効果が得られる。そして、第３実施例では、回路基板４０などが収容されるシャーシ６０の一方側は、底面と天板にともに開口部が設けられるので、シャーシ６０に固定された回路基板４０などに対して半田付けなどの適宜な作業をするのに便利である。
【００２８】
そしてまた、本発明の第４実施例を図１２および図１３を参照して説明する。図１２は、本発明のシールドケースの第４実施例を構成するシャーシの外観図であり、（ａ）は平面図、（ｂ）は正面図、（ｃ）は右側面図、（ｄ）は底面図である。図１３は、図１２のシャーシに組み付けるシールドカバーの外観斜視図である。
【００２９】
図１２に示すシャーシ７０が、図９に示す第３実施例のシャーシ６０と相違するところは、シャーシ７０の底面の一方側（図で右側）が底板７０ａ，７０ａにより閉塞され、底面の他方側（図で左側）のみが開口部とされている、ことにある。そして、シャーシ７０の天板７０ｂの一方側には、回路基板４０などを収容するための開口部７０ｃが設けられている。また、このシャーシ７０に一方側から組み付けられるシールドカバー７２は、図１３に示されるごとく、シャーシ７０全体を収容するごとく抱持する形状であって、箱状で左側壁が省かれるとともに天板７２ａ，７２ａの一方側（図で右側）が、一部が重ねられて密着されている。そこで、シャーシ７０に一方側からシールドカバー７２が直方体の長手方向に摺動自在に組み付けられ、シャーシ７０全体を収容するようにシールドカバー７２を組み付けた第１の摺動位置とすると、シールドカバー７２の底板７２ｂによりシャーシ７０の底面の開口部が閉塞される。また、シャーシ７０に対してシールドカバー７２を略半分ほど組み付けた第２の摺動位置にあっては、シャーシ７０の底面の他方側の開口部が開口され、天板７０ｂの一方側の開口部７０ｃのみが閉塞される。このように、シャーシ７０にシールドカバー７２を組み付けることで、本発明の第４実施例のシールドケースが構成される。
【００３０】
本発明の第４実施例にあっては、シールドケースとして第１実施例と同様の効果が得られる。そして、第２実施例と同様に少ない部品でシールドケースを構成することができる。
【００３１】
なお、上記第１実施例の図２に示す構造において、取付ネジ２４を信号経路としているが、取付ネジ２４の軸心上に貫通孔が穿設され、この貫通孔にケーブルを挿通してアンテナ信号を回路基板４０に導出入するようにしても良い。かかる場合は、取付ネジ２４がシールドケース２０に電気的に接続されても良く、絶縁保持部材３６が不要となることは容易に理解されるであろう。また、シャーシ１０の内部で直方体の長手方向に一方側と他方側を仕切る仕切壁１０ｉ，１０ｉが、横側壁１０ｂ，１０ｂから切り起こされているが、これに限られず、天板１０ｃから切り起こすこともできる。特に、第３および第４実施例のごとく、天板６０ａ，７０ｂに開口部６０ｂ，７０ｃが開口されるならば、天板６０ａ，７０ｂを切り起こして仕切壁を設けても良いことは勿論である。さらに、第１と第２のシールドカバー１２，１４，６２，６４およびシールドカバー５０，７２を第１または第２の摺動位置に保持する構造は、上記実施例に限られず、適宜な弾性により係合する構造であればいかなるものであっても良い。そして、第２のシールドカバー１４，６４およびシールドカバー５０，７２がシャーシ１０，６０，７０に対して直方体の長手方向に摺動できる構造も、上記実施例に限られるものでなく、適宜な弾力により係合した状態で長手方向に摺動できればいかなる構造であっても良い。
【００３２】
【発明の効果】
以上説明したように本発明のシールドケースは構成されているので、以下のごとき格別な効果を奏する。
【００３３】
請求項１または３記載のシールドケースにあっては、回路基板などが収容される一方側が常に閉塞され、第２のシールドカバーまたはシールドカバーを第１と第２の摺動位置とすることでシールドケースの他方側を開口しまたは閉塞することができる。そこで、シールドケースの他方側を開口させて、取付ネジなどにシャーシを固定する作業がなし得る。そして、この作業中にあっては一方側は閉塞されており、作業工具などにより、一方側に収容された回路基板などを破損させるような虞がない。しかも、他方側を開口させるのに、第２のシールドカバーまたはシールドカバーを摺動させれば良く、この第２のシールドカバーまたはシールドカバーがシャーシから分離脱落されるようなことがなく、作業性が良い。
【００３４】
請求項２または４記載のシールドケースにあっては、請求項１および３と同様の作用効果が得るとともに、部品点数が少なく、それだけ組み付け作業が簡単であり、しかも安価に製造することができる。
【００３５】
請求項５記載のシールドケースにあっては、取付ネジにシールドケースを固定できるので、例えば車載用アンテナ装置の取付ネジにアンテナ信号を増幅などする回路が収容されたシールドケースを固定して、車載用アンテナ装置の極めて近くでアンテナ信号等を増幅するなどに有効である。
【００３６】
請求項６記載のシールドケースにあっては、信号経路としての取付ネジを本発明のシールドケースでシールドすることができる。
【００３７】
請求項７記載のシールドケースにあっては、シールドケースの内部が長手方向に一方側と他方側に仕切壁によって仕切られているので、他方側が開口されていて取付作業中であっても、一方側に収容された回路基板などが取付工具などで破損されることがない。
【図面の簡単な説明】
【図１】本発明のシールドケースの第１実施例の閉塞状態と開口状態を示す外観図であり、（ａ）は閉塞状態の正面図、（ｂ）の閉塞状態の底面図、（ｃ）は開口状態の正面図、（ｄ）は開口状態の底面図である。
【図２】取付ネジに固定した本発明のシールドケースの第１実施例の縦断面拡大図である。
【図３】図１のシールドケースを構成するシャーシの外観図であり、（ａ）は正面図、（ｂ）は右側面図、（ｃ）は底面図、（ｄ）は（ｂ）のＡ−Ａ矢視断面図である。
【図４】図１のシールドケースを構成する第１のシールドカバーの外観図であり、（ａ）は平面図、（ｂ）は正面図、（ｃ）は右側面図である。
【図５】図１のシールドケースを構成する第２のシールドカバーの外観図であり、（ａ）は平面図、（ｂ）は正面図、（ｃ）は右側面図である。
【図６】シャーシに第１のシールドカバーを組み付けた外観図であり、（ａ）は平面図、（ｂ）は正面図、（ｃ）は底面図である。
【図７】本発明のシールドケースの第２実施例の閉塞状態と開口状態を示す外観図であり、（ａ）は閉塞状態の正面図、（ｂ）は閉塞状態の底面図、（ｃ）は開口状態の正面図、（ｄ）は開口状態の底面図である。
【図８】図７のシールドケースを構成するシールドカバーの外観図であり、（ａ）は平面図、（ｂ）は正面図、（ｃ）は右側面図、（ｄ）は底面図である。
【図９】本発明のシールドケースの第３実施例を構成するシャーシの外観図であり、（ａ）は平面図、（ｂ）は正面図、（ｃ）は右側面図、（ｄ）は底面図である。
【図１０】図９のシャーシに組み付ける第１のシールドカバーの外観斜視図である。
【図１１】図９のシャーシに組み付ける第２のシールドカバーの外観斜視図である。
【図１２】本発明のシールドケースの第４実施例を構成するシャーシの外観図であり、（ａ）は平面図、（ｂ）は正面図、（ｃ）は右側面図、（ｄ）は底面図である。
【図１３】図１２のシャーシに組み付けるシールドカバーの外観斜視図である。
【符号の説明】
１０，６０，７０  シャーシ
１０ａ，６０ｄ  基板固定突部
１０ｂ，１２ｅ，１４ｃ，５０ｂ，６０ｃ  横側壁
１０ｃ，１２ｂ，５０ｄ，６０ａ，６２ａ，７０ｂ，７２ａ  天板
１０ｄ，６０ｆ  ケーブル保持突部
１０ｅ  取付ネジ挿入孔
１０ｆ  絶縁保持部材取付穴
１０ｇ，６０ｇ  係合孔
１０ｈ  左側壁
１０ｉ  仕切壁
１２，６２  第１のシールドカバー
１２ａ，１４ａ，５０ａ，６２ｂ，６４ａ  底面
１２ｃ，５０ｅ，６０ｅ，６２ｃ  右側壁
１２ｄ，５０ｆ，６２ｅ  ケーブル導出入部
１２ｆ  ストッパ
１２ｇ，１４ｅ，５０ｃ，６２ｄ  係合突部
１４，６４  第２のシールドカバー
１４ｂ，１４ｄ  折り曲げ部
２０  シールドケース
２４  取付ネジ
２６  アンテナエレメント
２８  アンテナベース
３０  ルーフ
３２  爪付きワッシャ
３４  絶縁保持部材
３６  締付ナット
３８  導電接続部材
４０  回路基板
４２  ケーブル
５０，７２  シールドカバー
６０ｂ，７０ｃ  開口部
７０ａ，７２ｂ  底板
【図１】
2004228357.tif 000003
【図２】
2004228357.tif 000004
【図３】
2004228357.tif 000005
【図４】
2004228357.tif 000006
【図５】
2004228357.tif 000007
【図６】
2004228357.tif 000008
【図７】
2004228357.tif 000009
【図８】
2004228357.tif 000010
【図９】
2004228357.tif 000011
【図１０】
2004228357.tif 000012
【図１１】
2004228357.tif 000013
【図１２】
2004228357.tif 000014
【図１３】
2004228357.tif 000015